【手続補正書】
【提出日】平成22年7月30日(2010.7.30)
【手続補正１】
【補正対象書類名】特許請求の範囲
【補正対象項目名】全文
【補正方法】変更
【補正の内容】
【特許請求の範囲】
【請求項１】
a)  単一の流入口および多数の流出口を有する第１の流路ならびに単一の流入口から多数の流出口に液体の流れを均一に分布させるための手段が設けられた第１のヘッダー；
b)  多数の流入口および単一の流出口を有する第２の流路が設けられた第２のヘッダー；
c)  前記第１のヘッダーおよび前記第２のヘッダーと液体で連絡しているフィルター；
d)  患者の血管系を単一の流入口に接続するための第１の移植片；
e)  単一の流出口を患者の血管系に接続するための第２の移植片；
f)  フィルターを通過する液体を回収するように適合されたハウジング；ならびに
g)  ハウジングに接続された排液導管
を含む、患者から液体を除去するための装置。
【請求項２】
前記第２のヘッダーが、多数の流入口から単一の流出口に液体の流れを均一に分布させるための手段を含む、請求項１記載の装置。
【請求項３】
単一の流入口から多数の流出口に液体の流れを均一に分布させるための手段が、多数の流出口の１つ以上の付近に位置する１つ以上の流れ制限ネック領域を含む、請求項１記載の装置。
【請求項４】
多数の流入口から単一の流出口に液体の流れを均一に分布させるための手段が、多数の流入口の１つ以上の付近に位置する１つ以上の流れ制限ネック領域を含む、請求項１記載の装置。
【請求項５】
単一の流入口から多数の流出口に液体の流れを均一に分布させるための手段が、単一の流入口から多数の流出口に徐々に分岐して二叉になっている第１の流路を含む、請求項１記載の装置。
【請求項６】
多数の流入口から単一の流出口に液体の流れを均一に分布させるための手段が、多数の流入口から単一の流出口に徐々に収束する第２の流路を含む、請求項１記載の装置。
【請求項７】
前記第１のヘッダーおよび前記第２のヘッダーが実質的に同じ大きさおよび形状である、請求項１記載の装置。
【請求項８】
前記第１のヘッダーおよび前記第２のヘッダーが細長い部材である、請求項１記載の装置。
【請求項９】
a)  第１の流入口および多数の流出口を有する第１の流路ならびに多数の流出口の１つ以上の付近に位置する１つ以上のネックが設けられた第１のヘッダー；
b)  第２の流出口を有する第２のヘッダー；
c)  前記第１のヘッダーおよび前記第２のヘッダーと液体で連絡しているフィルター；
d)  患者の血管系を第１の流入口に接続するための移植片；
e)  第２の流出口を患者の血管系に接続するための移植片；
f)  フィルターを通過する液体を回収するように適合されたハウジング；ならびに
g)  ハウジングに接続された排液導管
を含む、患者から液体を除去するための装置。
【請求項１０】
前記第２のヘッダーに、多数の流入口および該多数の流入口の１つ以上の付近に位置する１つ以上のネックを有する第２の流路が設けられる、請求項９記載の装置。
【請求項１１】
第１の流路の１つ以上のネックが装置中の液体の均一な流れを促進するように適合される、請求項９記載の装置。
【請求項１２】
第１の流入口に近い第１の流路の１つ以上のネックが、第１の流入口から遠く離れた１つ以上のネックよりも流れ制限的である、請求項９記載の装置。
【請求項１３】
第２の流出口に近い第２の流路の１つ以上のネックが、第２の流出口から遠く離れた１つ以上のネックよりも流れ制限的である、請求項１０記載の装置。
【請求項１４】
排液導管が、患者の膀胱と液体で連絡するように適合される、請求項１または９記載の装置。
【請求項１５】
第１の流路が第１の流入口から多数の流出口に徐々に分岐して二叉になっている、請求項９記載の装置。
【請求項１６】
第２の流路が多数の流入口から第２の流出口に徐々に収束する、請求項１０記載の装置。
【請求項１７】
前記フィルターが複数の中空ファイバー膜を含む、請求項１または９記載の装置。
【請求項１８】
前記フィルターが約600cm2以下の膜総表面積を有する、請求項１または９記載の装置。
【請求項１９】
前記中空ファイバー膜が約1〜約7mmの直径である、請求項１７記載の装置。
【請求項２０】
中空ファイバー膜の数が約12〜約60個の中空ファイバー膜である、請求項１７記載の装置。
【請求項２１】
さらに、装置によって除去される液体の量を制御するための手段を含む、請求項１または９記載の装置。
【請求項２２】
前記除去される液体の量を制御するための手段が、患者の生理学的パラメータをモニターするセンサーおよびマイクロプロセッサによって制御される弁を含む、請求項２１記載の装置。
【請求項２３】
生理学的パラメータが、血圧、体重、肺活量、血液コロイド浸透圧、血液重量オスモル濃度、血液成分レベル、血液ガスレベル、およびその組合せからなる群より選択される、請求項２２記載の装置。
【請求項２４】
排液導管中の液体の流れを制限するように適合された弁をさらに含む、請求項１または９記載の装置。
【請求項２５】
弁が手動弁である、請求項２４記載の装置。
【請求項２６】
フィルターが、水に対して実質的に透過性であり、血球およびタンパク質に対して実質的に不透過性である、請求項１または９記載の装置。
【請求項２７】
前記第１のヘッダー、前記第２のヘッダーおよびフィルターが実質的に同一平面上にある、請求項８または９記載の装置。
【請求項２８】
複数の中空ファイバー膜のそれぞれが多数の流出口のそれぞれと１対１ベースで整列され、複数の中空ファイバー膜のそれぞれが多数の流入口のそれぞれと１対１ベースで整列される、請求項１７記載の装置。
【請求項２９】
前記第１のヘッダー、前記第２のヘッダーおよびハウジングがそれぞれ、約10mm未満の厚さである、請求項２７記載の装置。
【請求項３０】
a)  多数の流出口を有する第１のヘッダー；
b)  第２のヘッダー；ならびに
c)  第１のヘッダーおよび第２のヘッダーと液体で連絡しているフィルター、ここで、第１のヘッダー、第２のヘッダーおよびフィルターに流路が設けられており、流路は、多数の流出口の１つ以上の付近に１つ以上のネック領域を含む、
を含む、患者から液体を除去するための装置。
【請求項３１】
第２のヘッダーが多数の流入口を有し、流路が多数の流入口の１つ以上の付近に１つ以上のネック領域を含む、請求項３０記載の装置。
【請求項３２】
第１のヘッダーが第１の流入口を有し、フィルターが多数の中空ファイバー膜を含み、１つ以上のネック領域が徐々に小さく収縮するほど、第１の流入口と多数の中空ファイバー膜の間隔がより大きくなる、請求項３０記載の装置。
【請求項３３】
第１のヘッダーおよび第２のヘッダーが細長い部材であり、第１のヘッダー、第２のヘッダーおよびフィルターが実質的に同一平面上にある、請求項３０記載の装置。
【請求項３４】
a)  第１の流路が設けられ、第１の流入口および多数の流出口を有する第１のヘッダー、ここで、第１の流路は、第１の流入口から多数の流出口に徐々に二叉になっている；
b)  第２のヘッダー；ならびに
c)  第１のヘッダーおよび第２のヘッダーと液体で連絡しているフィルター
を含む、患者から液体を除去するための埋没可能な血液濃縮器。
【請求項３５】
第２のヘッダーが多数の流入口および第２の流出口を有し、第２の流路が設けられており、ここで、第２の流路が多数の流入口から第２の流出口に徐々に収束する、請求項３４記載の埋没可能な血液濃縮器。
【請求項３６】
a)  第１のヘッダー；
b)  第２のヘッダー；ならびに
c)  複数の中空ファイバー膜を含み、第１のヘッダーおよび第２のヘッダーと液体で連絡しているフィルター、ここで、第１のヘッダー、第２のヘッダーおよびフィルターは、血流中での停滞が最小限である各中空ファイバー膜中の実質的に均一な血流を提供する流路が設けられるように適合される、
を含む、患者の血液から液体を除去するための埋没可能な血液濃縮器。
【請求項３７】
a)  第１のヘッダーおよび第２のヘッダーが細長い部材である；
b)  第１のヘッダー、第２のヘッダーおよびフィルターが実質的に同一平面上にある；ならびに
c)  第１のヘッダー、第２のヘッダーおよびフィルターがそれぞれ約10mm未満の厚さである、
請求項３６記載の埋没可能な血液濃縮器。